(57)【要約】【課題】分散セクションから径方向外側に配設された精練セクションを備え、分散セクションの歯群の高さは精練セクションのバーの高さを越える、分散−精練のプレートセグメントを提供すること。【解決手段】本明細書で説明する分散−精練のプレートセグメントは、オペレータが分散および精練を組み合わせることを可能にし、オペレータが分散のレベルにわたってより良好に制御する一方で、精練のレベルへの影響を最小にする、と考えられる。【選択図】図１Ａ
2019183371.tif 000002
【特許請求の範囲】
【請求項１】
裏側から表側を分離した基板であって、
前記表側と、
辺長と、
前記辺長の第１の端部に配設された、内弧と、
前記辺長の第２の端部に配設され、前記辺長に沿って前記内弧から径方向遠位に位置された、外弧と、
前記辺長に沿って前記内弧と前記外弧との間に延びる、第１の側辺と、
前記辺長に沿って前記内弧と前記外弧との間に延び、前記第１の側辺から遠位に配設された、第２の側辺と、
厚さに沿って表側から反対に配設された前記裏側とを備え、前記裏側と前記表側は、前記外弧、前記内弧、前記第１の側辺、および前記第２の側辺の間に延びる、基板と、
前記基板から延びる歯群であって、
径方向の空隙に配設された列に配置され、
前記基板上の領域を占有し、前記歯群における歯は、
歯の高さと、
壁と、
隣接する壁の交差部における縁部と
を備え、
前記領域は分散セクションを画定する、歯群と、
前記基板から延びる精練バーであって、隣接する精練バーおよび前記基板は、前記隣接する精練バーの間に溝を画定し、それによって前記精練バーは、精練バーおよび溝が交互となる精練セクションを画定し、前記精練セクションは、前記分散セクションよりも前記辺長の前記第２の端部に近く配設され、精練バーおよび溝が交互となる前記領域の精練バーは精練バーの高さを有し、前記歯の高さは前記精練バーの高さを越える、精練バーと
を備える、分散−精練のプレートセグメント。
【請求項２】
前記分散セクションと前記精練セクションとの間に配設されたデフレクタをさらに備える、請求項１に記載の分散−精練のプレートセグメント。
【請求項３】
径方向に最も外側の歯と前記精練セクションとの間に配設された移行バーをさらに備える、請求項１に記載の分散−精練のプレートセグメント。
【請求項４】
前記歯が、凹形状を形成する複数の先端壁を含む先端側をさらに備える、請求項１に記載の分散−精練のプレートセグメント。
【請求項５】
前記歯群が、前記精練バーよりも少なくとも５０％高い、請求項１に記載の分散−精練のプレートセグメント。
【請求項６】
前記歯群が、前記精練バーよりも少なくとも１００％高い、請求項１に記載の分散−精練のプレートセグメント。
【請求項７】
前記歯が、立方体、細長い矩形プリズム、台形プリズム、三角形プリズム、角錐、切頭角錐、五角形プリズム、または他の多面体からなる群から選択される形状を有する、請求項１に記載の分散−精練のプレートセグメント。
【請求項８】
基板と、
前記基板から延びる歯群であって、径方向の空隙に配設された列に配置され、前記歯群における歯は、歯の高さ、壁、および隣接する壁の交差部における縁部を有し、前記基板上の領域を占有し、前記領域は分散セクションを画定する、歯群と、
前記基板から延びる精練バーであって、隣接する精練バーおよび前記基板は、前記隣接する精練バーの間に溝を画定し、それによって前記精練バーは、精練バーおよび溝が交互となる精練セクションを画定し、前記精練セクションは前記分散セクションから遠位に配設され、前記精練バーは精練バーの高さを有し、前記歯の高さは前記精練バーの高さを越える、精練バーと
を備える、分散−精練のプレートセグメント。
【請求項９】
前記分散セクションと前記精練セクションとの間に配設されたデフレクタをさらに備える、請求項８に記載の分散−精練のプレートセグメント。
【請求項１０】
径方向に最も外側の歯と前記精練セクションとの間に配設された移行バーをさらに備える、請求項８に記載の分散−精練のプレートセグメント。
【請求項１１】
前記歯群が、前記精練バーよりも少なくとも５０％高い、請求項８に記載の分散−精練のプレートセグメント。
【請求項１２】
前記歯群が、前記精練バーよりも少なくとも１００％高い、請求項８に記載の分散−精練のプレートセグメント。
【請求項１３】
前記歯が、立方体、細長い矩形プリズム、台形プリズム、三角形プリズム、角錐、切頭角錐、五角形プリズム、または他の多面体からなる群から選択される形状を有する、請求項８に記載の分散−精練のプレートセグメント。
【請求項１４】
前記歯が、凹形状を形成する複数の先端壁を含む先端側をさらに備える、請求項８に記載の分散−精練のプレートセグメント。
【請求項１５】
軸において回転の中心を有し、前記軸の周りを回転するよう構成された、第１の分散機アセンブリと、
前記第１の分散機アセンブリに面する第２の分散機アセンブリと
を備える分散機装置であって、前記第１の分散機アセンブリおよび前記第２の分散機アセンブリは各々、
支持構造、および環状に配置され前記支持構造に固定係合された複数の分散−精練のプレートセグメントを備え、前記分散−精練のプレートセグメントは、
表側と、
辺長と、
前記辺長の第１の端部に配設された、内弧と、
前記辺長の第２の端部に配設され、前記辺長に沿って前記内弧から径方向遠位に位置された、外弧と、
前記辺長に沿って前記内弧と前記外弧との間に延びる、第１の側辺と、
前記辺長に沿って前記内弧と前記外弧との間に延び、前記第１の側辺から遠位に配設された、第２の側辺と、
厚さに沿って表側から反対に配設された裏側とを備え、前記裏側と前記表側は、前記外弧、前記内弧、前記第１の側辺、および前記第２の側辺の間に延び、前記裏側は、前記支持構造に配設される、基板であって、
前記表側は、
前記基板から延びる歯群であって、径方向の空隙に配設された列に配置され、前記歯群における歯は、歯の高さ、壁、および隣接する壁の交差部における縁部を有し、前記基板上の領域を占有し、前記領域は分散セクションを画定する、歯群と、
前記基板から延びる精練バーであって、前記精練バーにおいて隣接する精練バーおよび前記基板は、前記隣接する精練バーの間に溝を画定し、それによって前記精練バーは、精練バーおよび溝が交互となる精練セクションを画定し、前記精練セクションは、前記分散セクションよりも前記辺長の前記第２の端部に近く配設され、精練バーおよび溝が交互となる前記領域の精練バーは精練バーの高さを有し、前記歯の高さは前記精練バーの高さを越える、精練バーと
をさらに備える、基板を有し、
前記第２の分散機アセンブリに対する前記第１の分散機アセンブリの対向する歯群は、分散間隙を画定するようかみ合い、前記第２の分散機アセンブリに対する前記第１の分散機アセンブリの対向するバーは、精練間隙を画定する、分散機装置。
【請求項１６】
前記分散セクションと前記精練セクションとの間に配設されたデフレクタ、または径方向に最も外側の歯と前記精練セクションとの間に配設された移行バーをさらに備える、請求項１５に記載の分散機装置。
【請求項１７】
前記歯が、凹形状を形成する複数の先端壁を含む先端側をさらに備える、請求項１５に記載の分散機装置。
【請求項１８】
前記歯群が、前記精練バーよりも少なくとも５０％高い、請求項１５に記載の分散機装置。
【請求項１９】
前記歯群が、前記精練バーよりも少なくとも１００％高い、請求項１５に記載の分散機装置。
【請求項２０】
前記分散間隙が、側方内壁および側方外壁によってさらに画定され、前記分散間隙が、ミリメートル毎の分散機装置の調整で０．１ｍｍ〜０．４ｍｍ調整され、精練間隙が、ミリメートル毎の分散機装置の調整で１ｍｍ調整される、請求項１５に記載の分散機装置。
【発明の詳細な説明】
【技術分野】
【０００１】
本出願は、米国特許法第１１９条（ｅ）下で２０１８年４月３日に出願された米国仮特許出願第６２／６５１，７７７号の利益を主張するものであり、その全体が参照により本明細書に組み込まれる。
【０００２】
本開示は、全体的に板紙産業の分散機に関し、より詳細には、リサイクル繊維に働くよう使用される分散機のセグメントに関する。
【背景技術】
【０００３】
紙繊維をリサイクルするとき、産業用リサイクル粉砕機のオペレータは、紙繊維中の混入物を分解かつ分離するために分散機を使用する。このプロセスをよく知っている人は、一般にこれらの混入物を「粘着物（ｓｔｉｃｋｉｅｓ）」と呼ぶ。一般に粘着物は、糊、プラスチック、インク、およびリサイクルされる繊維と共に点在するような他の材料を含む。オペレータは、ふるい分け、洗浄、および／または浮選プロセスを介して、分離された粘着物を繊維物質から取り除くことができる。任意の残留粒子を、粘着物が最終製品では目に見えない程度に分解することができる。分散および分離のプロセスによって、オペレータは、より清潔なリサイクル紙繊維を抄紙機に供給することが可能となる。この実施によって、抄紙機構成に固着する混入物の問題をあまり生じさせず、結果的に性能を全体的に向上させる。さらにインクの分散は、最終製品の外観を大きく改善する。
【０００４】
通常オペレータは、古い段ボール（「ＯＣＣ」）、古い新聞印刷用紙（「ＯＮＰ」）、混合オフィス古紙（「ＭＯＷ」）、雑誌、コマーシャルペーパーなどの再生繊維を分散する。一般に分散機は、非回転ディスク（「固定子」）に面した回転ディスク（「回転子」）を備える。各ディスクはディスクセグメントを備え、通常各ディスクセグメントは歯群を有する。歯群は通常、方形プリズム、台形プリズム、または角錐形プリズムなどの幾何学的プリズムの形状である。歯群は、ディスクセグメントの一方の側から、列または帯状で突出する。一方のディスク上の歯群の列は、面するディスクの歯群の列とかみ合う。すなわち、面するディスクセグメントの歯群の列は互いに異なる半径で配設され、それによって一方のプレートセグメントの歯群の列は、分散機に取り付けられたときに、面するプレートセグメントの歯群の列の間に入るので、回転子上の歯群の列が、面するプレートセグメントの歯群と衝突することなく回転の中心の周りを移動できる。かみ合う歯群は、第１のプレートセグメント上の歯が、対向する第２のプレートセグメント上の隣接する列の歯群の間に延びるのを、さらに可能にする。このかみ合いは、対向する分散セクション間の曲がりくねった間隙を作り出す。
【０００５】
面する通常の分散機のプレートは、回転子と固定子の歯群側の壁との間に、約１ミリメートル（「ｍｍ」）〜５ｍｍの間の間隙または隙間を有する。この空間によって、多量に繊維を切断することなく歯群が激しく繊維を曲げ、せん断可能となる。この曲げが、ごみ、インク、および他の粘着物のいくらかを取り除く。回転する分散機のプレートと固定された分散機のプレートとの間の空間は、回転子が回転する間に、固定子のプレートを回転子のプレートに向けて（または回転子のプレートを固定子のプレートに向けて）移動させる機構によって、調整され得る。回転子は芯合わせされ、その回転軸に沿って自由に動ける。
【０００６】
回転子要素が回転すると、回転子要素は、固定子ディスクの中央から分散機に入るリサイクル紙繊維の供給流を促す。中央のハブキャップ（「指部」としても知られている）は、２つの面する分散機のディスク間の間隙に供給流を導く。次に供給流は、かみ合う歯群の帯全体で、回転の中心から径方向外側に、ディスクの外縁を介して機械の出口に向かって移動する。この出口は機械の底部における穴であることが多く、この穴を通して、分散されたパルプは希釈するために収納箱の中に落ちて、さらに処理される。いくつかの分散機は、供給側に追加されたスチームを有する。リサイクル繊維を、歯群のかみ合う帯にわたるリサイクル繊維の移動を補助するのに加えて、補足のスチームも、分散されたリサイクル繊維が加圧スチームパイプを介して分散機から出るのを可能にする。
【０００７】
分散機の主な機能は分離および分散することであるが、機器の副次的作用は、加えたエネルギーのうちのいくらかが、繊維の改善すなわち「精練」をもたらすことである。「分散」と「精練」との間の相違を理解するために、リサイクル紙繊維の物理的特性を理解することが役立つ。一般的にリサイクル紙繊維は、「ラメラ」と呼ばれるいくつかの同心層を備える管状構造である。各ラメラは、ラメラを形成するため互いに結合された、「微小繊維」と呼ばれる、より細かい構造の構成要素を備える。分散が管状繊維自体の全体を曲げる一方で、「精練」は繊維を、より大きい摩擦エネルギーおよび圧縮エネルギーの影響下におく。その結果、精練は繊維を裂き、ラメラを含む微小繊維をほぐし、それによって繊維の表面積を増加させる。いくつかの場合、この精練は、パルプ懸濁液の脱水機能を低減させるために望ましくないが、他の場合においては精練は望ましい。例えば、繊維の表面積を増加させると、精練した繊維から作られる紙または他の製品の引っ張り強度を大きく増加させる。所望の強度品質を有する所望のグレードのパルプを生成するため、オペレータは、リサイクルパルプ繊維が受ける精練のレベルを制御することを望むことがある。リサイクル作業は、この追加の精練をもたらすために、分散後に低精度（ｌｏｗ  ｃｏｎｓｉｓｔｅｎｃｙ）の精練機を使用し得る。
【０００８】
分散および精練の要素を組み合わせる以前の試みは、分散のみの場合よりも良い精練を実現できた。例えば、米国特許出願第１４／０８２，４２４号に記載されているプレートセグメントは、かみ合う歯群を有さず、極わずかな分散効果を付与するための精練原理と、より広い動作間隙とを用いていた。最終的効果は、より少ない分散量を伴う大きい精練量であった。
【０００９】
かみ合うピンを伴う以前の精練のプレートセグメントは、分散のためではなく、主に精練のために設計されていた。例えば、米国特許第７，３５４，０１１号で開示された精練のプレート設計は、プレートセグメント全体の精練バーと共に点在するフローリストリクタを有していた。国際出願番号ＰＣＴ／ＳＥ９８０２１２４は、内部チップの分離セクションに配設されたピンおよびフローリストリクタ、ならびに外側の精練セクションにおける精練バーを開示した。しかし、これらの設計の両方において、円筒形ピンは主に、ウッドチップ片が精練セクションに入る前にウッドチップ片を分解する手段として含まれていた。これらのピンは、ウッドチップ片をより一様に分解し、分解したウッドチップをより均一に精練間隙に配分するのに役立ち、それによって精練（すなわち離解）プロセスも開始しながら、精練のプレートセグメント間の負荷の変動を軽減させると考えられている。
【先行技術文献】
【特許文献】
【００１０】
【特許文献１】米国特許出願第１４／０８２，４２４号
【特許文献２】米国特許第７，３５４，０１１号
【特許文献３】国際出願番号ＰＣＴ／ＳＥ９８０２１２４
【発明の概要】
【課題を解決するための手段】
【００１１】
出願人は、例示的な分散−精練のプレートセグメントを備える例示的な分散機を通して、単一の通路を通る繊維を精練する量に対する、より良好な制御をオペレータに与えながら、分散機を使用して繊維を所望の品質に分散および精練する可能性を見出した。所望の引っ張り強度を有するリサイクル繊維を生成するために、分散および精練が分離した装置を使用することによって生じる、時間およびエネルギーを浪費するという問題は、分散機のプレートセグメント上の分散機のかみ合う歯群の後ろ（すなわち径方向外側）に、バーおよび溝の精練セクションを加えることによって解決される。例示的な分散−精練のプレートセグメントの裏側に対して、分散機の歯群は精練バーよりも高く、分散機の歯群は側壁の交差部において鋭い先端部を有する。
【００１２】
特定の例示的な実施形態において、多角形プリズムの形状の歯群を備える分散セクションの下の基板に対して、バーおよび溝の精練セクションの下には、より厚い基板を有することが望ましい場合がある。他の例示的な実施形態において、分散セクションに対する精練セクションの基板の厚さに実質的な相違がない場合があるが、そのような実施形態において、歯群は精練セクションの精練バーよりも全体的に高い。例えば、この歯群は精練バーよりも５０パーセント（「％」）高くてよい。他の例において、この歯群は精練バーの高さの少なくとも１００％（すなわち２倍）であってよい。
【００１３】
出願人は、様々な幾何学形態のかみ合う歯の設計が、一般的に２０キロワット時／トン（「ｋＷｈ／Ｔ」）〜６０ｋＷｈ／Ｔのエネルギーレベル、いくつかの設計では１００ｋＷｈ／Ｔレベルおよびそれよりわずかに大きいレベルに達するエネルギーを加える能力を有することを見出した。精練バーおよび溝の設計は、エネルギーを加えるためのより大きい能力を有する。なぜなら、面するバーと溝の領域との間の間隙を、わずか１ミリメートルなどの低い値に効果的に制御することができるからである。これは、従来の精練のプレートの積載性が、かみ合う歯の設計よりも数倍高いことに帰着する。
【００１４】
従来のバーおよび溝の精練のプレートセグメントは、過去には分散機のプレートの代わりに分散機（すなわち分散機械）に使用され、ある程度成功していたが、このような精練のプレートセグメントは、通常分散効率が低く、限定された処理能力となることが多い。したがって、分散機に精練のプレートセグメントを使用することは好ましくない。他方で出願人は、かみ合う歯のパターンが高い容積および分散効率を有するが、これらのかみ合う歯のパターンは、加えたエネルギーの割には低い精練しかもたらさないことを見出した。かみ合う歯のパターンは、大きいエネルギーを加える能力を欠き、したがって向上した精練効果をもたらす能力を欠く。
【００１５】
したがって出願人は、対向するプレートセグメントの精練セクション間の動作間隙にわたって、オペレータがさらなる制御範囲を有することも可能にしながら、高い容積および分散効率を活用するため、分散セクションにおいて、適度に安定した負荷を維持することが望ましいことを見出した。動作間隙の幅は、それぞれの精練セクションに対して押圧する繊維の負荷に影響を及ぼす。対向する分散セクションと異なり、対向する精練セクションはかみ合わない。すなわち、対向する精練セクション間の間隙は、側面から見ると直線である。
【００１６】
理論に縛られることなく、精練の大部分は、対向する精練セクション間の間隙に蓄積する繊維パッドで生じる。互いに急速に行き交う隣接した繊維のせん断力および圧縮力、特に圧縮力は、繊維を発達させる（すなわちリサイクル紙繊維のラメラを含む微小繊維をほぐす）と考えられる。連続して横切る、対向する精練セクションのバーおよび溝は、せん断力および圧縮力の多くを繊維パッドに付与する。例えば、２つの対向するバーが互いに横切るとき、これらの対向するバーの間に捕らえられた繊維は、対向するバーが互いに行き交い、かつ２つの対向する溝が一時的に整合するときよりも、高い負荷を受けると考えられ得る。平均負荷は、精練間隙の幅の関数である。集合体において、対向する精練セクション間の間隙の幅を調整することによって、オペレータは、対向する精練セクション間の繊維パッドの負荷を調整することができ、それによって繊維が精練される強さおよび効率を調整することができる。
【００１７】
本開示による分散−精練のプレートセグメントは、同心状の歯群のかみ合うセクションを備え、その後にバーおよび溝を使用する精練セクションがある（すなわち、精練セクションは同心状の歯群のかみ合うセクション（すなわち分散セクション）の径方向外側に配設される）。例示的な分散−精練のプレートセグメントの設計において、対向するディスクのかみ合う歯群の間における間隙は、１ミリメートル毎の機械調整で０．１ｍｍ〜０．４ｍｍだけ調整し得る。その一方で、バーおよび溝の精練セクションは、位置を変えると１：１の間隙調整を行うことになる。すなわちこの設計では、間隙を制御する際に、かみ合うセクションおよび精練セクションが、両方とも調整されることになるが、精練セクションにおける効果はより顕著であると考えられる。この相違は、比較的変化しない分散効果を可能にし、その一方で、より大きい制御を精練効果にわたって可能にし得る。その結果、オペレータがプレートアセンブリの互いに対する位置を調整し、それによって本明細書で説明する例示的な分散−精練のプレートセグメント間の動作間隙を調整するとき、オペレータは、精練間隙に加えられる精練エネルギーの強さをより精確に制御することができ、その一方で、分散間隙内の繊維に加える適切に一定な分散エネルギーも維持する。
【００１８】
したがって、かみ合う歯群および外側の精練セクションを伴う、例示的な分散−精練のプレートの使用により、粉砕機のオペレータが分散効率を改善することを可能にし、その一方で追加の精練機器を使用することなく、または繊維に施す精練の最大量を増加させることなく、精練エネルギーをオペレータのパルプに追加し得る。
【００１９】
前述の事項は、添付の図に例示するように、以下の本開示の例示的な実施形態の、より具体的な説明から明白になる。図は必ずしも縮尺に則っておらず、代わりに、開示する実施形態を例示する際に強調して示される。
【図面の簡単な説明】
【００２０】
【図１Ａ】分散セクションから径方向外側に配設された精練セクションを備える、例示的な回転子の分散−精練のプレートセグメントの正面図である。分散セクションの歯群は、精練セクションのバーよりも高い。
【図１Ｂ】分散セクションから径方向外側に配設された精練セクションを備える、例示的な固定子の分散−精練のプレートセグメントの正面図である。分散セクションの歯群は、精練セクションのバーよりも高い。
【図２Ａ】図１Ａおよび図１Ｂにおける回転子および固定子の分散−精練のプレートセグメントの側断面図であり、回転子および固定子の分散−精練のプレートセグメントは、それらが分散機に設置されるときに互いに面する。
【図２Ｂ】図２ＡのＢ−Ｂセクションの拡大図であり、分散間隙および精練間隙をより詳細に示す。
【発明を実施するための形態】
【００２１】
以下の好ましい実施形態の詳細な説明は、例示および説明目的のみのために提示され、包括的にあること、または本発明の範囲および趣旨を限定することを意図しない。実施形態は、本発明の原理およびその実際の適用を最適に説明するために選択され、記載されている。当業者は、本発明の範囲および趣旨から逸脱することなく、多くの変更を、本明細書に開示する本発明に成し得ることを理解するであろう。
【００２２】
同様の参照文字は、別途記載しない限り、いくつかの図全体で対応する部分を示す。図は、本開示による様々な特徴および構成要素の実施形態を表わすが、図は縮尺に則っておらず、特定の特徴は、本開示の実施形態をより良好に例示するために誇張されることがあり、このような例証は本開示の範囲を限定するものと解釈するべきではない。
【００２３】
本明細書で別途明記しない限り、以下の解釈のルールを本明細書に適用する。（ａ）本明細書で使用される全ての単語は、状況に応じたジェンダまたは数（単数もしくは複数）などとして解釈するものとする。（ｂ）本明細書および添付の特許請求の範囲で使用される単数形の語「ａ」、「ａｎ」、および「ｔｈｅ」は、文脈で別途明白に指示しない限り複数の意味を含む。（ｃ）詳述した範囲または値に適用される、先行する用語「約（ａｂｏｕｔ）」は、計測から、当技術分野で公知または予想された範囲または値の逸脱内における推定を示す。（ｄ）「ここに（ｈｅｒｅｉｎ）」、「これによって（ｈｅｒｅｂｙ）」、「これに（ｈｅｒｅｔｏ）」、「上文に（ｈｅｒｅｉｎｂｅｆｏｒｅ）」、および「下記に（ｈｅｒｅｉｎａｆｔｅｒ）」、ならびに類似の意味の単語は、本明細書全体に言及し、別途記述しない限り任意の特定の段落、請求項、または他の下位文節に言及しない。（ｅ）記述した表題は便宜上のみのためであり、明細書の任意の部分の意味または構成を制御するか、または影響を与えるものではない。（ｆ）「または（ｏｒ）」、および「任意の（ａｎｙ）」は排他的ではなく、「含む（ｉｎｃｌｕｄｅ）」、および「含んでいる（ｉｎｃｌｕｄｉｎｇ）」は限定ではない。さらに、用語「備えている（ｃｏｍｐｒｉｓｉｎｇ）」、「有している（ｈａｖｉｎｇ）」、「含んでいる」、および「含有している（ｃｏｎｔａｉｎｉｎｇ）」は、オープンエンドの用語（すなわち「含んでいるが限定されない」の意）として解釈するべきである。
【００２４】
本明細書における「１つの実施形態（ｏｎｅ  ｅｍｂｏｄｉｍｅｎｔ）」、「一実施形態（ａｎ  ｅｍｂｏｄｉｍｅｎｔ）」、「例示的な一実施形態（ａｎ  ｅｘｅｍｐｌａｒｙ  ｅｍｂｏｄｉｍｅｎｔ）」などは、説明される実施形態が特定の特徴、構造、または特性を含み得るが、全ての実施形態が必ずしも特定の特徴、構造、または特性を含むものではない、ということを示す。さらに、これらのフレーズは必ずしも同じ実施形態に言及するものではない。さらに、特定の特徴、構造、または特性が、一実施形態と共に説明される場合、それは、当業者の知識内において、明示的に説明するか否かによって、他の実施形態と共にこのような特徴、構造、または特性に影響を与えるものとして提案される。
【００２５】
説明的なサポートを提供するのに必要な範囲で、主題および／または添付の特許請求の範囲の文字は、それらの全体が本明細書に参照により組み込まれる。
【００２６】
本明細書の値の範囲の詳述は、別途明白に示さない限り、任意の部分範囲内における範囲内に入る各別個の値を個々に言及する、簡略的方法として役立つことのみが意図される。詳述した範囲内の各別個の値は、それらが個々に本明細書で詳述されたかのように、本明細書または特許請求の範囲の中に組み込まれる。値の特定の範囲が提供される場合、文脈で別途明白に指示しない限り、その範囲の上限値と下限値との間における下限値の単位の１／１０以下までの間の各値、および任意の他の記述された値、または記述された範囲もしくはその部分範囲における間の値は、本明細書では含まれることが理解される。全ての部分範囲もまた含まれる。より小さいこれらの範囲の上限値および下限値も本明細書に含まれ、記述された範囲内で具体的かつ明白に除外された任意の限定の対象となる。
【００２７】
本明細書で使用されるいくつかの用語は、相対的な用語であることを理解されたい。例えば、用語「上部（ｕｐｐｅｒ）」および「下部（ｌｏｗｅｒ）」は位置的に互いに相対関係にあり、すなわち所与の方向において、上部構成要素は下部構成要素よりも高い位置にあるが、このデバイスが裏返しになるとこれらの用語は交換できる。用語「入口（ｉｎｌｅｔ）」および「出口（ｏｕｔｌｅｔ）」は、所与の構造に関してそれらを流れ抜ける流体に関し、例えば流体は入口を流れ抜けて構造物に入り、出口を流れ抜けて構造物から出る。用語「上流（ｕｐｓｔｒｅａｍ）」および「下流（ｄｏｗｎｓｔｒｅａｍ）」は、流体が様々な構成要素を流れ抜ける方向に関し、すなわち流体の流れは、下流の構成要素を流れ抜ける前に上流の構成要素を抜ける。
【００２８】
用語「水平の（ｈｏｒｉｚｏｎｔａｌ）」および「垂直の（ｖｅｒｔｉｃａｌ）」は、絶対的基準、すなわち地上に対する方向を示すために使用される。しかしこれらの用語は、構造物が互いに完全に平行、または完全に垂直である必要があるとは、解釈するべきではない。例えば、第１の垂直の構造物および第２の垂直の構造物は、必ずしも互いに平行である必要はない。用語「頂部（ｔｏｐ）」、「底部（ｂｏｔｔｏｍ）」または「基部（ｂａｓｅ）」は、絶対的基準、すなわち地球の表面に対して、頂部が常に底部／基部よりも高い位置／表面であることを言及するために使用される。用語「上方へ（ｕｐｗａｒｄ）」および「下方へ（ｄｏｗｎｗａｒｄ）」も、絶対的基準に関しており、上方への流れは常に地球の重力に抗う。
【００２９】
図１Ａは例示的な分散−精練のプレートセグメント１００を示す。示された実施形態において、例示的な分散−精練のプレートセグメント１００は回転子セグメントである。分散−精練のプレートセグメント１００は、裏側（図２の２１０）から遠位に配設された表側１０５を有する基板１１５を備える。一般的に基板１１５は、内弧１２２、外弧１２４、および側辺１１６、１１８によって囲まれた環状扇形を画定する。内弧１２２は、辺長ＳＬの第１の端部１１１に配設され、外弧１２４は、辺長ＳＬの第２の端部１１３に位置され、それによって外弧１２４を、内弧１２２から径方向遠位箇所に位置付ける。第１の側辺１１６は、内弧１２２と外弧１２４との間に延びる。第２の側辺１１８は、外弧１２４と内弧１２２との距離に沿って、第１の側辺１１６から遠位に配設される。
【００３０】
締め穴１６７は基板１１５を貫通して延びる。オペレータはボルトまたは他の締め具（図示せず）を挿入して、分散−精練のプレートセグメント１００を分散機アセンブリの支持構造に係合させる。一旦設置されると、一連の連続した隣接する分散−精練のプレートセグメント１００は、回転の中心の周りを回転するよう構成された環を形成する。示した分散−精練のプレートセグメント１００は、反時計回り方向Ｒに回転するよう最適化される。
【００３１】
一連の突起した歯群１２０は、基板１１５から延びる。この一連の突起した歯群１２０は、一般的に多面体の形状（すなわち幾何学的プリズム）を有する。例えばこの形状は、立方体、細長い矩形プリズム、台形プリズム、三角形プリズム、角錐、切頭角錐（すなわち点ではなく平坦域で終端する角錐）、五角形プリズム、または他の多面体であってよい。各歯１２０は、分散−精練のプレートセグメント１００の内弧１２２に対する内壁１４７、および外壁１５９を有してよい。各歯１２０の垂下壁１６５は、先端側１６４から遠位に配設される。分散−精練のプレートが回転するとき、先端側１６４は、垂下壁１６５の前にある歯の回転経路における固定点とぶつかることになる、歯１２０の側方である。歯群の先端側１６４は多面的（すなわち複数の先端壁１６４ａ、１６４ｂなどを備える）であってよく、好ましくは、隣接する壁（１４７、１５９、１６５、１６４ａ、１６４ｂ参照）の交差部における鋭角部１７３を備えた平坦または凹形状を有し得る。先端側１６４の凹形状は、先端側１６４のこのような凹形状のない歯群に比べて長い平均時間の間、分散セクション１２５でリサイクル繊維２７５（図２Ａ）を保持し得ると考えられている。さらに、隣接する壁１４７、１５９、１６４ａ、１６４ｂの交差部において形成される鋭角部１７３は、より大きいせん断力をリサイクル繊維２７５に提供して、より長い平均時間を分散セクション１２５において費やし得る。その結果、例示的な分散−精練のプレートセグメント１００は、インクおよび他の粘着物をリサイクル繊維２７５から、向上した効果で取り除く。歯群１２０は径方向の空隙１３３に配設された列１１７に配置される。側方空隙１３６も、各歯１２０を分離する。
【００３２】
基板１１５上で歯群１２０を包含する領域１５６は、分散セクション１２５を画定する。一連の歯群１２０における各歯１２０は、歯の高さ（図２Ａの２３０）を有する。面する分散−精練のプレートセグメント１００’の歯群１２０’（図１Ｂ）は、同様に分散セクション１２５’で径方向の空隙１３３’に配設される。しかし、面する分散−精練のプレートセグメント１００’の歯群１２０’は、図１Ａに示す歯群１２０から径方向にずれている。すなわち、面する分散−精練のプレートセグメント１００’の歯群１２０’は、分散−精練のプレートセグメント１００、１００’が互いに面するとき、図１Ａに示す歯群１２０の間に配設される。別の方法で記述すると、第１の分散−精練のプレートセグメント１００の歯群１２０（図１Ａ）は、対向する分散−精練のプレートセグメント１００’（図１Ｂ）の歯群１２０’の隣接する列１１７’の間の径方向の空隙１３３’に配設される。この方法で、歯群１２０、１２０’は、分散機に設置されるとかみ合うよう構成される（図２Ａ参照）。歯群１２０、１２０’のかみ合う列１１７の数、および歯群１２０、１２０’の設計は、どれだけの分散エネルギーを所望するかによって変化することを理解されたい。しかし、本明細書で開示する例示的な分散−精練のプレートセグメント１００、１００’は、各分散−精練のプレートセグメント１００、１００’に、最低２列１１７の歯群１２０、１２０’を有する。通常、少なくとも４列１１７の歯群１２０、１２０’が好ましい。歯群１２０の列１１７は、分散機の径によって制限され得る。いくつかの例示的な実施形態において、４〜８列１１７の歯群１２０、１２０’が望ましいことがある。
【００３３】
一連の精練バー１４０は、歯群１２０から径方向の遠位箇所に、表側１０５の基板１１５から延びる。隣接する精練バー（例えば１４０ａおよび１４０ｂ参照）および基板１１５は、隣接する精練バー（例えば１４０ａおよび１４０ｂ）の間に溝１４５を画定する。溝１４５は、隣接する全ての精練バー（例えば１４０ａおよび１４０ｂ）の間に配設され、それによって一連の精練バー１４０は、交互となる一連の精練バー１４０および溝１４５を作り出す。一連の精練バー１４０および溝１４５が表側１０５で占有する領域１５７は、「精練セクション」１３５として知られている。精練セクション１３５は、分散セクション１２５よりも辺長ＳＬの第２の端部１１３に近く配設される。精練バー１４０は精練バーの高さ（図２の２５０）を有する。歯の高さ２３０は精練バーの高さ２５０を越える。外側の精練セクション１３５は、１０ｍｍの最低長さを有し得る。他の例示的な実施形態において、外側の精練セクション１３５は、好ましくは約２５ｍｍ〜１００ｍｍの間の長さを有し得る。各セクション（例えば分散セクション１２５、精練セクション１３５、および供給バーセクションなど分散−精練のプレートセグメント１００における他の考えられるセクション）の幾何学形態は、所与の分散機器モデルに固定された分散−精練のプレートセグメント１００、１００’のサイズによって、部分的に制限される。
【００３４】
特定の例示的な実施形態において、精練セクション１３５の領域１５７は、分散−精練のプレートセグメント１００の表側１０５の基板１１５における表面積の、２０％〜３３１／３％の範囲にある。例えば、精練セクション１３５の領域１５７は、分散−精練のプレートセグメント１００の表側１０５の基板１１５における表面積の、少なくとも２０％、２５％、または３３１／３％であってよい。
【００３５】
一般的に分散セクション１２５の積載性は、精練セクション１３５の積載性よりも制限される。一般に、２つの対向するプレート１００、１００’の間の分散領域の合計容積（すなわち分散間隙２５１（図２Ａ）の容積と側方空隙１３６の合計容積との和）は、一般的に対向するプレート１００、１００’の間の精練領域（すなわち精練間隙２４９（図２Ａ）および溝１４５の容積）の合計容積と比較して大きい。理論に縛られることなく、リサイクル繊維２７５の体積および供給速度が一定である場合、より小さい合計容積を有するセクションは、より大きい負荷（すなわち力）を受けることになると考えられる。分散セクション１２５の効果を増加させる１つの方法は、セグメント上の分散セクション１２５の領域を増加させることである。精練セクション１３５の高い積載性が与えられる場合、精練セクション１３５は、精練効果を犠牲にすることなく、径方向内側の分散セクション１２５に場所を譲ることが考えられる。
【００３６】
特定の例示的な実施形態において、分散セクション１２５の領域１５６は、分散−精練のプレートセグメント１００の表側１０５の基板１１５における表面積の、４０％〜５０％の範囲にある。特定の例示的な実施形態において、分散セクション１２５は、分散−精練のプレートセグメント１００の表側１０５の基板１１５における表面積の、少なくとも４０％を占有し得る。例えば、特定の例示的な実施形態において、精練セクション１３５は、分散−精練のセグメント１００の表側１０５の基板１１５における表面積の約３０％を占有し、一方で分散セクション１２５は、分散−精練のセグメント１００の表側１０５の基板１１５における表面積の約７０％を占有する。さらに他の例示的な実施形態において、精練セクション１３５は、基板１１５における表面積の約３０％を占有してよく、分散セクション１２５は基板１１５における表面積の約４０％を占有してよく、（複数の内側供給バー１２３を備える）供給セクションは、分散−精練のプレートセグメント１００の各表側１０５の基板１１５における表面積の約３０％を占有してよい。他の例示的な実施形態において、分散セクション１２５は、基板１１５における表面積の少なくとも５０％を占有する。
【００３７】
図１Ａは、径方向に最も外側の歯群１２０と、精練セクション１３５の入口における精練バー１４０との間に配設された、一連の移行バー１８３をさらに示す。移行バー１８３は、径方向に最も外側の歯１２０を精練バー１４０に物理的に接続してよく、または移行バー１８３は、径方向に最も外側の歯１２０および精練バー１４０に、単に隣接するよう配設され得る。移行バー１８３は、リサイクル繊維２７５を精練間隙２４９に供給する。特定の例示的な実施形態において、移行バー１８３は、より狭い径方向外側端部と比較して、より広い径方向内側端部を有し得る。特定の例示的な実施形態において、移行バー１８３の径方向外側端部は、精練の溝１４５と当接し得ることを、さらに理解されたい。特定の例示的な実施形態において、移行バー１８３の径方向内側端部は、径方向に最も外側の歯群１２０の間の側方空隙１３６に配設されるか、または径方向に最も外側の歯群１２０の間の側方空隙１３６から径方向外側に配設され得る。
【００３８】
理論に縛られることなく、移行バー１８３は、リサイクル繊維２７５を精練セクション２３５の中に供給するのに役立ち、それによってリサイクル繊維２７５が分散セクション２２５と精練セクション２３５との間で詰まって堆積するのを防止できると考えられている。
【００３９】
分散−精練のプレートセグメント１００は、内側供給バー１２３を特徴として備えてもよい。しかし、これらの内側供給バー１２３は、全ての分散−精練のプレートセグメント１００、１００’に存在しなくてもよいことを理解されたい。
【００４０】
図１Ｂは、分散機における図１Ａの回転子の分散−精練のプレートセグメント１００に面するよう構成された、例示的な対向する分散−精練のプレートセグメント１００’を示す。この例において、対向する分散−精練のプレートセグメント１００’は固定子である。逆回転する分散機において、対向する分散−精練のプレートセグメント１００’は、別の回転子セグメント（図１Ａ参照）となることを理解されたい。歯群１２０’は、図１Ａに示す歯群１２０とかみ合うよう構成される。出願人は、プライム記号（’）を使用して、特定の特徴が、示された実施形態においては固定子のプレートセグメント１００’である、対向する分散−精練のプレートセグメントに示されることを表わす。同様の参照記号は、対向する分散−精練のプレートセグメント１００、１００’の同様の特徴を表わす。
【００４１】
図２Ａは、例示的な面する分散−精練のプレートセグメント２００、２００’が、歯の高さ２３０が精練バーの高さ２５０を越えているのを示す、断面図である。動作中、リサイクル繊維２７５は回転の中心から径方向外側へ、面する分散−精練のプレートセグメント２００、２００’の内弧２２２、２２２’を越えて流れる。次にリサイクル繊維２７５は、分散セクション２２５、２２５’、および面する分散セクション２２５、２２５’によって画定された分散間隙２５１を通って、径方向外側に流れ続ける。
【００４２】
傾斜部２２７、２２７’は、歯群１２０、１２０’の径方向内側に望ましく位置付けられてよい。傾斜部２２７、２２７’は、リサイクル繊維２７５が、分散セクション２２５、２２５’の入口において示された予期される最大の分散間隙２５１で、分散効果を迂回するのを防止する。傾斜部２２７、２２７’が存在すると、内側供給バー２２３がリサイクル繊維２７５を分解して、リサイクル繊維２７５を分散セクション２２５、２２５’の中に導くのに役立つ。
【００４３】
リサイクル繊維２７５は、分散セクション２２５、２２５’が重複したかみ合う歯群２２０、２２０’の側方内壁２４７と側方外壁２５９との交差部によって処理される。理論に縛られることなく、圧縮が精練セクション２３５において精練する力の多くを提供する一方で、せん断力が分散セクション２２５において分散する力の多くを備える、と考えられている。これは部分的に、精練間隙２４９と比較して幾分大きい分散間隙２５１のためである。これらのせん断力は、粘着物の多くをリサイクル繊維２７５から取り除くと考えられている。分散歯群１２０の複数の鋭角部１７３は、特に先端側１６４において、これらのせん断力の多くを付与し、それによって分散効果を向上させると考えられている。すなわち、側方内壁２４７と側方外壁２５９との間、および縁部１７３に沿ってリサイクル繊維２７５を迅速に曲げることによって、ごみ、インク、および粘着物をリサイクル繊維２７５から取り除く。迅速な動き、および側方内壁２４７と側方外壁２５９との間のごみ、インク、および粘着物のせん断も、ごみ、インク、および粘着物を最終製品において目立たない程度に分解する。
【００４４】
分散後、かみ合う歯群２２０、２２０’の径方向に最も外側の列２１７は、分散されたリサイクル繊維２７５を、対向する精練バー２４０、２４０’の平坦な上面２４３、２４３’によって画定された精練間隙２４９の中に、さらに供給する。図２Ａに見られるように、大きい空間が、径方向に最も外側の歯２２０の側方外壁２５９の後ろに存在する。この空間によって、製造者が、精練バー２４０の頂部を分散歯群１２０の頂部より低い高さにこすりつけることを、そうすることで歯群１２０を損傷させることなく可能にする。しかし、この空間はまた、リサイクル繊維２７５が分散セクション２２５と精練セクション２３５との間に堆積して詰まらせる。したがって、好ましい実施形態において、固定子の分散−精練のプレートセグメント２００’の基板２１５’は、分散セクション２２５’と精練セクション２３５’との間に配設されたデフレクタ２６３’をさらに画定する。デフレクタ２６３’は、分散されたリサイクル繊維２７５を精練キャップ２４９に導き、それによって詰まるのを防止する。他の例示的な実施形態において、デフレクタ２６３’は回転子の分散−精練のプレートセグメント２００に配設され得ることを、理解されたい。示したように、デフレクタ２６３’は、変化する厚さ（すなわち、分散セクション２２５における基板の薄いセクションから、精練セクション２３５における基板の厚いセクションへ接続する厚さ）を有し得る。
【００４５】
さらに他の例示的な実施形態において、デフレクタ２６３’を省いてもよい。しかし、リサイクル繊維２７５を精練セクション２３５、２３５’の中に供給することは、デフレクタ２６３’なしでは効果が薄れることになり、リサイクル繊維２７５の最大処理量は減少し得ることを、理解されたい。対向する精練セクション２３５、２３５’は、平坦な上面２４３、２４３’を有する精練バー２４０、２４０’、および溝２４５、２４５’の任意の現存する構成、または新たな構成の特徴を備えてよく、リサイクル繊維２７５を精練間隙で処理する。
【００４６】
理論に縛られることなく、（流すためにより大きい容積制限を有する）かみ合う歯群２２０、２２０’を特徴とする、分散−精練のプレートセグメント２００、２００’の内側部分は、高い生産能力を維持して効果的な分散作業をもたらすのに役立つ、と考えられている。分散セクション２２５、２２５’は、精練バー２４０、２４０’、および溝２４５、２４５’の精練セクション２３５、２３５’を、分散−精練のプレートセグメント２００、２００’の外周位置に供給する。精練セクション３２５、３５５’は、さらなる供給／積載能力、および、製品をより良好に取り扱って効果的な精練エネルギーを加えるための、より大きい体積（外周により近い弧セグメントの、より大きい面積のため）を有する。
【００４７】
例示的な分散−精練のプレートセグメント２００、２００’は、裏側２１０と比較して異なる少なくとも２つの表面高さＴ１、Ｔ２を有するよう鋳造し、次に機械加工してよく、精練エネルギーに加えて効果的な分散をもたらす。かみ合う歯群２２０、２２０’は、精練バー２４０、２４０’（２５０、２５０’参照）および溝２４５、２４５’よりも高くなる２３０、２３０’。その結果、精練バー２４０、２４０’の頂部２４３、２４３’は、かみ合う歯群２２０、２２０’の高さ２３０、２３０’を下げることなく、精確に機械加工することができる。かみ合う歯群２２０、２２０は、鋳造したものとするか、平坦に機械加工したものとするか、または鋳造しかつ平坦に機械加工したものとすることができる。特定の例示的な実施形態において、かみ合う歯群２２０の歯２２０は、精練セクション２３５の精練バー２４０よりも少なくとも５０％高い。例えば、精練バー２４０は約７ｍｍ±３ｍｍの高さであってよく、分散歯２２０は精練バー２４０よりも少なくとも５０％高くてよい。本明細書で説明するかみ合う歯群２２０は、約８ｍｍ〜約３０ｍｍの範囲の高さを有してよいことが企図される。さらに他の例示的な実施形態において、かみ合う歯群２２０は精練バー２４０よりも少なくとも１００％高くてよい。
【００４８】
図２Ｂは、図２Ａに示された囲み範囲Ｂ−Ｂの拡大図である。例示的な実施形態は、オペレータが対向する分散−精練のプレートセグメント２００、２００’の間の距離を調整するとき、分散間隙２５１および精練間隙２４９の両方が調整されることになるよう考慮される。しかし、精練間隙２４９の効果は、分散間隙２５１よりも顕著となる。理論に縛られることなく、分散は、かみ合う歯群２２０、２２０’の側方内壁２４７と側方外壁２５９との交差部において主に発生し、かみ合う歯群２２０、２２０’の頂部２５３、２５３’にわたってではないと考えられる。その結果、オペレータが分散−精練のプレートセグメント２００を、他方の分散−精練のプレートセグメント２００’に向けて、または離すよう動かすとき、側方内壁２４７と側方外壁２５９との間の分散間隙２５１の距離は、精練バー２４０、２４０’の対向する頂部２４３、２４３’の間の距離よりも変化しない。
【００４９】
例示的な分散−精練のプレートセグメント２００、２００’において、対向する分散−精練のプレートセグメント２００、２００’のかみ合う歯群２２０、２２０’の間の分散間隙２５１は、ミリメートル毎の機械調整で、０．１ｍｍ〜０．４ｍｍだけ調整してよく、一方では精練間隙２４９は１：１の位置交換を伴う調整を行うことになる。いくつかの例示的な実施形態において、第２の表面高さＴ２が、（第２の表面高さＴ２から裏側２１０までの最短距離として計測される際に）第１の表面高さＴ１よりも厚い基板上に配設されることが企図される。理論に縛られることなく、第２の表面高さＴ２におけるより厚い基板は、対向する分散−精練のプレートセグメント２００、２００’の間の直線の精練間隙２４９と共に、例示的な分散−精練のプレートセグメント２００、２００’が１：１の精練間隙の調整比率を維持するよう構成されることを可能にしてよく、その一方で例示的な分散−精練のプレートセグメント２００、２００’が分散間隙２５１に対して１：１未満の調整比率を維持するよう、さらに構成される。この相違は、オペレータがより精確に精練効果を制御可能にしながら、比較的変化しない分散効果を可能にし得る。その結果、分散機のプレート設計の正しい選択を伴って、ここで、一定の分散エネルギーをリサイクル繊維２７５に加えることが可能となり、一方で機械位置調整は、加えられる精練エネルギーをより厳格に制御する。
【００５０】
特定の例示的な実施形態において、精練間隙２４９は３ｍｍ以下である。さらに別の例示的な実施形態において、対向する分散−精練のプレートセグメント２００、２００’の軸方向位置を調整することによって、精練間隙２４９に１：１の比率の調整を、および分散間隙２５１に１：３の比率の調整をもたらす。すなわち、精練間隙２４９の幅の全ての変化のため、分散間隙２５１の幅は、精練間隙２４９の幅の変化の１／３だけ変化する。
【００５１】
例示的な分散−精練のプレートセグメントは、裏側から表側を分離した基板であって、表側と、辺長と、辺長の第１の端部に配設された、内弧と、辺長の第２の端部に配設され、辺長に沿って内弧から径方向遠位に位置された、外弧と、辺長に沿って内弧と外弧との間に延びる、第１の側辺と、辺長に沿って内弧と外弧との間に延び、第１の側辺から遠位に配設された、第２の側辺と、厚さに沿って表側から反対に配設された裏側と、を有し、表側と裏側は、外弧、内弧、第１の側辺、および第２の側辺の間に延びる、基板と、基板から延びる歯群であって、径方向の空隙に配設された列に配置され、基板上の領域を占有し、歯群における歯は、歯の高さと、壁と、隣接する壁の交差部における縁部とを備え、領域は分散セクションを画定する、歯群と、基板から延びる精練バーであって、隣接する精練バーおよび基板は、隣接する精練バーの間に溝を画定し、それによって精練バーは、精練バーおよび溝が交互となる精練セクションを画定し、精練セクションは、分散セクションよりも辺長の第２の端部に近く配設され、精練バーおよび溝が交互となる領域の精練バーは精練バーの高さを有し、歯の高さは精練バーの高さを越える、精練バーとを備える。
【００５２】
別の例示的な分散−精練のプレートセグメントは、基板と、基板から延びる歯群であって、径方向の空隙に配設された列に配置され、歯群における歯は、歯の高さ、壁、および隣接する壁の交差部における縁部を有し、基板上の領域を占有し、領域は分散セクションを画定する、歯群と、基板から延びる洗練バーであって、隣接する精練バーおよび基板は、隣接する精練バーの間に溝を画定し、それによって精練バーは、精練バーおよび溝が交互となる精練セクションを画定し、精練セクションは分散セクションから遠位に配設され、精練バーは精練バーの高さを有し、歯の高さは精練バーの高さを越える、精練バーとを備える。
【００５３】
例示的な分散機装置は、軸において回転の中心を有し、軸の周りを回転するよう構成された、第１の分散機アセンブリと、第１の分散機アセンブリに面する第２の分散機アセンブリとを備える例示的な分散機装置であって、第１の分散機アセンブリおよび第２の分散機アセンブリは各々、支持構造、および環状に配置され支持構造に固定係合された複数の分散−精練のプレートセグメントを備え、分散−精練のプレートセグメントは、表側と、辺長と、辺長の第１の端部に配設された、内弧と、辺長の第２の端部に配設され、辺長に沿って内弧から径方向遠位に位置された、外弧と、辺長に沿って内弧と外弧との間に延びる、第１の側辺と、辺長に沿って内弧と外弧との間に延び、第１の側辺から遠位に配設された、第２の側辺と、厚さに沿って表側から反対に配設される裏側とを備え、裏側と表側は、外弧、内弧、第１の側辺、および第２の側辺の間に延び、裏側は支持構造に配設される、基板であって、表側は、基板から延びる歯群であって、径方向の空隙に配設された列に配置され、歯群における歯は、歯の高さ、壁、および隣接する壁の交差部における縁部を有し、基板上の領域を占有し、領域は分散セクションを画定する、歯群と、基板から延びる精練バーであって、精練バーにおいて隣接する精練バーおよび基板は、隣接する精練バーの間に溝を画定し、それによって精練バーは、精練バーおよび溝が交互となる精練セクションを画定し、精練セクションは、分散セクションよりも辺長の第２の端部に近く配設され、精練バーおよび溝が交互となる領域の精練バーは精練バーの高さを有し、歯の高さは精練バーの高さを越える、精練バーとをさらに備える、基板を有し、第２の分散機アセンブリに対する第１の分散機アセンブリの対向する歯群は、分散間隙を画定するようかみ合い、第２の分散機アセンブリに対する第１の分散機アセンブリの対向するバーは、精練間隙を画定する。
【００５４】
本発明を、現在考慮される最も実用的かつ好ましい実施形態に関して説明したが、本発明は開示した実施形態に限定されるものではなく、反対に、本発明の趣旨および範囲内に含まれる、様々な変更および同等の装置を網羅するよう意図していることを、理解されたい。
【図１Ａ】
2019183371.tif 000003
【図１Ｂ】
2019183371.tif 000004
【図２Ａ】
2019183371.tif 000005
【図２Ｂ】
2019183371.tif 000006
【外国語明細書】
2019183371.tif 000007
2019183371.tif 000008
2019183371.tif 000009
2019183371.tif 000010
2019183371.tif 000011
2019183371.tif 000012
2019183371.tif 000013
2019183371.tif 000014
2019183371.tif 000015
2019183371.tif 000016
2019183371.tif 000017
2019183371.tif 000018
2019183371.tif 000019
2019183371.tif 000020
2019183371.tif 000021
2019183371.tif 000022
2019183371.tif 000023
2019183371.tif 000024
2019183371.tif 000025
2019183371.tif 000026
2019183371.tif 000027
2019183371.tif 000028
【図１Ａ】
2019183371.tif 000029
【図１Ｂ】
2019183371.tif 000030
【図２Ａ】
2019183371.tif 000031
【図２Ｂ】
2019183371.tif 000032